(57)【要約】【課題】移動する物体に壊れやすい・崩れやすい・こぼれやすい・固定できないなどの積載物を運搬する際は、加速度・源速度・方向変化などに気を使い、積載移動自体がやりにくいものだった。【解決手段】前記課題の移動物体を、移動車両等に固定した本積載物安定装置に乗せて運搬することにより、移動中に働く全方位の慣性力方向及び重力方向に対して常に積載物姿勢を垂直とする方向に自在応答し、また振動・衝撃を吸収する自然原理を応用した仕組みによりあらゆる走行状況下でも静止状態に近い安定状態を維持することが出来る。【選択図】図１
2007191215.tif 000002
【特許請求の範囲】
【請求項１】
外乱・外力に呼応して、全方位で形状の変形が自在なる材質で、及び構性要素の変化等で対応する仕組みで製作された密封構造の空洞内に、気体層と液体層の二層を形成して其々を前記空洞内に封印することで、移動積載物体にかかる全方位における運搬移動の運動慣性力と移動積載物体の質量にかかる重力加速度等の外力起因による力学的負荷力に応答して、液体層を形成する流動体が慣性力移動に伴って気体層を占有し、気体層と液体層の二層が自然法則に従う力学的に均衡した体積変化現象を誘引して前記密封構造体の形状を変成する対応により、前記慣性力方向に対して垂直に応答することで、前記移動積載物にかかる力学的不均衡な姿勢差をなくし、常時、相対的な水平姿勢を保持する自在運動機能および重力加速度に抗する気体層による振動・衝撃を吸収する機能を合わせ持つことで、前記移動積載物の運搬水平姿勢による安定性と運搬振動・衝撃による安全性を保って、移動運搬することを特徴とする積載物安定装置。
【発明の詳細な説明】
【技術分野】
【０００１】本発明は、運搬車両等に積載して移動する際、目的の運搬物体に運搬移動に伴って発生する運動力学的外力の負荷で引き起こされる破損、荷崩れ、内容物の飛散、固定不可等の事故を防止し、安定運搬させる装置に関する。
【背景技術】
【０００２】従来方法による、商品運搬で前記のような事故が懸念される高価商品や精密部品や容易破損商品および飲食品の出前運搬等における状況下の対処法は、速配バイクで代表されるように、バイクの荷台に取り付けた収納箱を、バイクの運転操作で発生する傾きが収納箱内に搭載する商品へ影響を与えないように、常に重力方向に対して垂直に維持する［水面方向と平行］機能を発揮する吊り機構とそれに準ずる構造を有して対応している。運搬移動で発生する運動力学的外力である運搬商品自体に負荷される慣性移動力の影響を回避する技術配慮の欠落から、現状において収納箱の中で、特に固定しにくい商品が運搬中乱雑になったり、飛散したり、また振動・衝撃で破損したりする自故ある。
【発明の開示】
【発明が解決しようとする課題】
【０００３】そこで、前記慣性移動力の影響を回避する技術配慮の欠落その他前記背景技術の現状の問題点の改善要求に対して、本発明は、かかる点に鑑みなされたものである。
【問題を解決するための手段】
【０００４】運搬商品収納箱内で商品を積載する底部の基台の下に［請求項１］記載の気体層と液体層の二層を構成した密封構造体が置かれている。前記密封構造体はゴム・ビニールまたはそれらの性状に類似する柔軟素材もしくは、剛な素材で構成し、外力の押圧で構造変形を起こす仕組みの設計が施されたもので、成り立っている。該密封構造体内の容積は液体またはジェル状の流動体と気体で１００パーセントにして充満し、密封する。
積載する商品が運搬移動に処して、水平移動の開始・停止・または速度変化・方向の変化・旋回などで発生する慣性力に対反して傾斜をつけることにより、慣性力方向に対して前記基台が垂直に自在移動し商品姿勢を安定させる。
【０００５】前記密封構造体の内部の流動体に働く慣性移動力で流動体が移動し、それに伴って該密封構造体が自然法則に準じて変形し、その際気体層と流動体層との均衡する配分率で該基台に理想的な傾きが発生する。
したがって、積載運搬商品に働く全方位の慣性力に対して、流動体の移動がスムースに行われ、流体の移動で気体と置換が行われると気体の圧縮バネ力の発生と該積載運搬商品の外力負荷と均衡される。その際該密封構造体内の流動体と気体は共に密封されているので、移動方向の体積が慣性移動力で増加し対反する方向の体積が減少するので慣性力に対抗する傾斜がつき、前期基台の上の積載商品が慣性力に影響されにくくなる。
また、重力方向での振動・衝撃に対しても密封気体層の気体バネ力で吸収することが出来る。
【発明の効果】
以上の技術によれば、移動運搬する物体を積載する場合において、積載物が壊れやすい物や積載に伴う固定の出来ないものの場合には、積載物を移動する際に伴って発生する慣性力から回避できる、本発明技術の装置による姿勢対応で安定させて容易に運搬が行える。そこで、本発明は、慣性力に対抗する自在なる基台の傾斜応答で本装置の上の積載物が慣性力に影響されにくくなり、さらに重力加速度による振動・衝撃から守る積載安定運搬装置の実現が出来るものである。
【発明を実施するための最良の形態】
【０００６】積載運搬物に働く自然法則作用である慣性力と同等の作用が該密封構造体内に封入した流動体にも働くことを利用して、密封容器内の流動体挙動により、積載運搬物体に働く慣性力を受け止め、運動力を相殺する仕組み技術で慣性力の影響を排除できる自在傾斜応答の基台を運搬収納箱の中に設けて、該基台の上に積載運搬物を搭載して実施形態が最良ではあるが、この発明は、この実施の形態に限定されない。また、この発明の実施の形態における、発明の用語および機能材料や機能要素等は限定されるものではない。【０００７】この発明の一実施形態を、図１及び図２に示す。３はリング状円形チューブの柔軟な素材で内部８の流動体の慣性移動で自在に変形し、慣性力が働く水平方向のどの方向に対しても［全方位］流動体の移動がスムースに行われる。その際流動体の移動量により、気体の圧縮と膨張現象も誘発し、その上に載せられた基台が傾斜することになる。つまり流動体の密封内挙動で、移動方向での体積が増加し、対反する方向の体積が減少するので、自在応答で基台が慣性力を受け止める形態で傾斜するのである。この積載物運搬安定装置は、移動運搬する物体と５は水平方向でのすべりが全くない構造となっており、かつ該積載物との設置面２も積載物運搬安定装置が傾斜することに対してすべりが生じない構造にもなっている。また、６は３と１との間ですべりが生じないように、さらに７は３と５がすべりを生じないような構造となっている。
【実施例】
【０００８】図１の実施形態で示すリング状チューブを本発明の前記密封構造体としたが、これに限定されるものではなく、リング状以外の形状であっても良いものである。
【産業上の利用可能性】
【０００９】本実施形態の効果によれば、原理的に積載運搬物の重量に左右される事なく傾斜応答の作動はスムースにおこなえ、リング形状の中心を支点として動作するので作動そのものは水平方向に障害物があっても接触さえなければ、一向に問題なく機能するので問題なく、静止状態では、積載運搬物の重心とリング形状の中心が一致すれば、積載運搬物は常に水平状態を保つことができるので、高価貴重品や精密部品や調理済み食品や盛り付け済み料理等の運搬をスピーディーに効率良くできるので、産業上での活躍が期待できるものである。
【図面の簡単な説明】
【００１０】
【図１】この発明の一実施形態を示す斜視図である。
【図２】従来技術を示すＡ−Ｂ間での断面図である。
【符号の説明】
【００１１】１．天板［基台・裏］
２．天面［基台・表］
３．積載物運搬安定装置本体
４．流動体注入口
５．底面［基盤］
６．滑り止め部材ａ
７．滑り止め部材ｂ
８．流動体
９．気体層
【図１】
2007191215.tif 000003
【図２】
2007191215.tif 000004